(57)【特許請求の範囲】
【請求項１】
アクティブ型電流調整回路であって、
第１基準電気信号を受ける第１入力節点と、
第２基準電気信号を受ける第２入力節点と、
接地節点と、
前記接地節点に対応した出力電気信号を出力する出力節点と、
第１入力節点、第２入力節点及び出力節点を有し、第１入力端子、第２入力端子、出力端子及び第１コンデンサを有する増幅器を含み、前記第１入力端子は、その前記第１入力節点に接続され、前記第２入力端子は、その第２入力節点に接続され、前記出力端子は、その前記出力節点に接続され、かつ前記第１コンデンサは、容量値Ｃ１を有し、前記増幅器の前記第２入力端子と前記出力端子の間に電気的接続される比例積分制御器と、
第１入力節点、第２入力節点、第１出力節点及び第２出力節点を有し、第１トランジスタと第２トランジスタを含み、ベース、エミッタ及びコレクタをそれぞれ有し、前記第１トランジスタのエミッタは、前記第２トランジスタのコレクタに電気的接続され、かつ前記第１トランジスタのコレクタは、前記第２トランジスタのエミッタに電気的接続され、かつ前記第１トランジスタのベースは、前記第１入力節点によって前記比例積分制御器の前記出力端子に電気的接続され、前記第２トランジスタのベースは、その前記第２入力節点によって前記比例積分制御器の前記出力端子に電気的接続され、前記第１トランジスタのコレクタと前記第２トランジスタのエミッタは、その前記第１出力節点に電気的接続され、前記第１トランジスタのエミッタと、前記第２トランジスタのコレクタは、その前記第２出力節点に電気的接続される線形レギュレータと、
第１入力端子、第２入力端子及び第１出力端子を有し、その前記第１入力端子は、前記線形レギュレータの前記第２出力節点に電気的接続され、その前記第２入力端子は、前記接地節点に電気的接続され、かつその前記第１出力端子は、前記増幅器の前記第２入力端子に電気的接続される整流器と、
入力端子及び出力端子を有し、その前記入力端子は、前記整流器の前記第１出力端子に電気的接続され、かつその前記出力端子は、前記接地節点に電気的接続されるＲＣフィルター、及び入力端子及び出力端子を有し、その前記入力端子は、前記アクティブ型電流調整回路の前記第２入力節点に電気的接続され、かつ前記出力端子は、前記比例積分制御器の前記第１入力節点又は前記第２入力節点に電的接続されることができる調光器と、を含み、
前記調光器は、ダイオード（Ｄ３）及び抵抗値Ｒ１を有する第１レジスタを有し、前記ダイオード（Ｄ３）は、前記ダイオード及び前記調光器の前記入力端子に接続された１つの端子によって前記第２入力節点に電気的に接続され、かつ前記第１レジスタは、前記ダイオード（Ｄ３）と前記調光器の出力端子とに直列接続され、
前記比例積分制御器は、前記増幅器の前記第２入力端子と前記整流器の前記第１出力端子とに直列接続された抵抗値Ｒ２を有する第２レジスタを有し、
前記調光器の前記出力端子が前記比例積分制御器の前記第２入力節点に電気的に接続された時、既定時間ｔの時の前記電圧信号Ｖ０、Ｖ０（ｔ）は、下記の式を満たす：
【数１】
0004686434.tif 000006
ここで、Ｖｒｅｆは、前記比例積分制御器の前記第１入力節点で受けた第１入力電圧信号であり、Ｖｄは、前記比例積分制御器の前記第２入力節点で受けた第２入力電圧信号であり、ＶＬは、前記整流器の前記第１出力端子からの前記第２レジスタで受けた第３入力電圧信号であり、τは、前記第１入力電圧信号Ｖｒｅｆの周期であり、かつ前記比例積分制御器の作用は、積分制御器と同じであり、
前記アクティブ型電流調整回路が作動する場合、電圧信号Ｖ０は、前記増幅器の前記第１入力端子又は前記第２入力端子に供給された少なくとも１つの入力電圧信号に基づいて、前記比例積分制御器の前記出力節点に発生され、かつ前記電圧信号が前記線形レギュレータを駆動して前記出力節点に制御可能な電気信号を発生するアクティブ型電流調整回路。
【請求項２】
前記比例積分制御器は、前記第１コンデンサと前記増幅器の出力端子に直列接続された抵抗値Ｒ６を有する選択レジスタを更に含み、かつ前記調光器の前記出力端子が前記比例積分制御器の前記第２入力節点に電気的接続された時、既定時間ｔの時の前記電圧信号Ｖ０、Ｖ０（ｔ）は、下記の式を満たす：
【数２】
0004686434.tif 000007
ここで、Ｖｒｅｆは、前記比例積分制御器の前記第１入力節点で受けた第１入力電圧信号であり、Ｖｄは、前記比例積分制御器の前記第２入力節点で受けた第２入力電圧信号であり、ＶＬは、前記整流器の前記第１出力端子からの前記第２レジスタで受けた第３入力電圧信号であり、τは、前記第１入力電圧信号Ｖｒｅｆの周期である請求項１に記載のアクティブ型電流調整回路。
【請求項３】
前記比例積分制御器より出力された前記電圧信号Ｖ０（ｔ）は、前記第２入力電圧信号Ｖｄの波形に対応した波形を有し、前記出力節点の前記制御可能な電気信号が前記第２入力電圧信号Ｖｄの前記波形の変化に伴って変化できるようにさせる請求項２に記載のアクティブ型電流調整回路。
【請求項４】
前記線形レギュレータは、前記線形レギュレータの前記第１入力節点と前記第１トランジスタのベースの間に電気的接続された抵抗値Ｒ３を有する第３レジスタと、前記線形レギュレータの前記第２入力節点と前記第２トランジスタのベースの間に電気的接続された抵抗値Ｒ４を有する第４レジスタを更に含む請求項３に記載のアクティブ型電流調整回路。
【請求項５】
前記整流器は、正端子及び負端子を有する第１ダイオード（Ｄ１）と正端子及び負端子を有する第２ダイオード（Ｄ２）とを含み、前記第１ダイオード（Ｄ１）の前記正端子は、前記整流器の前記第２入力端子に電気的接続され、前記第１ダイオード（Ｄ１）の前記負端子と前記第２ダイオード（Ｄ２）の前記正端子は、互いに電気的接続され、かつ前記整流器の第１入力端子に接続され、前記第２ダイオード（Ｄ２）の前記負端子は、前記整流器の前記第１出力端子に電気的接続される請求項１に記載のアクティブ型電流調整回路。
【請求項６】
前記ＲＣフィルターは、抵抗値Ｒ５を有する第５レジスタと容量値Ｃ２を有する第２コンデンサとを更に含み、前記第５レジスタ及び前記第２コンデンサは、前記ＲＣフィルターの前記入力端子と前記出力端子の間に並列に電気的接続される請求項１に記載のアクティブ型電流調整回路。
【請求項７】
前記第１入力節点と前記比例積分制御器の前記第１入力節点の間に電気的接続される抵抗値Ｒ７を有するレジスタ（１９２）を更に含む請求項１に記載のアクティブ型電流調整回路。
【請求項８】
アクティブ型電流調整回路であって、
第１基準電気信号を受ける第１入力節点と、
第２基準電気信号を受ける第２入力節点と、
接地節点と、
前記接地節点に対応した出力電気信号を出力する出力節点と、
第１入力節点、第２入力節点及び出力節点を有し、第１入力端子、第２入力端子、出力端子及び第１コンデンサを有する増幅器を含み、前記第１入力端子は、その前記第１入力節点に接続され、前記第２入力端子は、その第２入力節点に接続され、前記出力端子は、その前記出力節点に接続され、かつ前記第１コンデンサは、容量値Ｃ１を有し、前記増幅器の前記第２入力端子と前記出力端子との間に電気的接続される比例積分制御器と、
前記比例積分制御器の前記出力端子、第１出力節点及び第２出力節点に電気的接続された第１入力節点を有し、かつその前記第１入力節点によって、前記比例積分制御器の前記出力端子からの電圧信号Ｖ０を受ける線形レギュレータと、
入力端子及び出力端子を有し、その前記入力端子が、前記第２入力節点に電気的接続され、かつ前記出力端子が、前記比例積分制御器の前記第１入力節点又は前記第２入力節点に電気的に接続される調光器と、
第１入力端子、第２入力端子及び第１出力端子を有し、前記整流器の前記第１入力端子が、前記線形レギュレータの前記第２出力節点に電気的に接続され、前記第２入力端子が、前記接地節点に電気的に接続され、かつ前記第１出力端子が、前記増幅器の前記第２入力端子に電気的に接続される整流器と、を含み、
前記調光器は、前記調光器の前記入力端子に接続された１つの端子によって前記第２入力節点に電気的に接続されたダイオード（Ｄ３）と、前記ダイオード（Ｄ３）と前記調光器の前記出力端子とに直列接続された抵抗値Ｒ１を有する第１レジスタとを有し、
前記比例積分制御器は、前記増幅器の前記第２入力端子と前記整流器の前記第１出力端子とに直列接続された抵抗値Ｒ２を有する第２レジスタを有し、
前記調光器の前記出力端子が前記比例積分制御器の前記第２入力節点に電気的に接続された時、既定時間ｔの時の前記電圧信号Ｖ０、Ｖ０（ｔ）は、下記の式を満たす：
【数３】
0004686434.tif 000008
ここで、Ｖｒｅｆは、前記比例積分制御器の前記第１入力節点で受けた第１入力電圧信号であり、Ｖｄは、前記比例積分制御器の前記第２入力節点で受けた第２入力電圧信号であり、ＶＬは、前記整流器の前記第１出力端子からの前記第２レジスタで受けた第３入力電圧信号であり、τは、前記第１入力電圧信号Ｖｒｅｆの周期であり、かつ前記比例積分制御器の作用は、積分制御器と同じであり、
前記アクティブ型電流調整回路が作動する場合、電圧信号Ｖ０は、前記増幅器の前記第１入力端子又は前記第２入力端子に供給された少なくとも１つの入力電圧信号に基づいて、前記比例積分制御器の前記出力節点に発生され、かつ前記電圧信号が前記線形レギュレータを駆動して前記出力節点に制御可能な電気信号を発生するアクティブ型電流調整回路。
【請求項９】
前記比例積分制御器は、前記第１コンデンサと前記増幅器の出力端子に直列接続された抵抗値Ｒ６を有する選択レジスタを更に含み、かつ前記調光器の前記出力端子が前記比例積分制御器の前記第２入力節点に電気的接続された時、既定時間ｔの時の前記電圧信号Ｖ０、Ｖ０（ｔ）は、下記の式を満たす：
【数４】
0004686434.tif 000009
ここで、Ｖｒｅｆは、前記比例積分制御器の前記第１入力節点で受けた第１入力電圧信号であり、Ｖｄは、前記比例積分制御器の前記第２入力節点で受けた第２入力電圧信号であり、ＶＬは、前記整流器の前記第１出力端子からの前記第２レジスタで受けた第３入力電圧信号であり、τは、前記第１入力電圧信号Ｖｒｅｆの周期である請求項８に記載のアクティブ型電流調整回路。
【請求項１０】
前記比例積分制御器より出力された前記電圧信号Ｖ０（ｔ）は、前記第２入力電圧信号Ｖｄの前記波形に対応した波形を有し、前記出力節点の前記制御可能な電気信号が前記第２入力電圧信号Ｖｄの前記波形の変化に伴って変化できるようにさせる請求項９に記載のアクティブ型電流調整回路。
【請求項１１】
前記線形レギュレータは、ベース、エミッタ及びコレクタをそれぞれ有する第１トランジスタと第２トランジスタを含み、前記第１トランジスタのエミッタは、前記第２トランジスタのコレクタに電気的接続され、かつ前記第１トランジスタのコレクタは、前記第２トランジスタのエミッタに電気的接続され、かつ前記第１トランジスタのベースは、前記線形レギュレータの前記第１入力節点によって前記比例積分制御器の前記出力端子に電気的接続され、前記第２トランジスタのベースは、その前記第２入力節点によって前記比例積分制御器の前記出力端子に電気的接続され、前記第１トランジスタのコレクタと前記第２トランジスタのエミッタは、その前記第１出力節点に電気的接続され、前記第１トランジスタのエミッタと前記第２トランジスタのコレクタとは、その前記第２出力節点に電気的接続される請求項８に記載のアクティブ型電流調整回路。
【請求項１２】
前記線形レギュレータは、前記線形レギュレータの前記第１入力節点と前記第１トランジスタのベースの間に電気的接続された抵抗値Ｒ３を有する第３レジスタ（１５５）と前記線形レギュレータの前記第２入力節点及び前記第２トランジスタのベースの間に電気的接続された抵抗値Ｒ４を有する第４レジスタとを更に含む請求項１１に記載のアクティブ型電流調整回路。
【請求項１３】
前記線形レギュレータは、ベース、エミッタ及びコレクタとインピーダンスを有するトランジスタを更に含み、前記トランジスタのコレクタとエミッタの間に電気的接続され、かつ前記トランジスタのベースは、前記線形レギュレータの前記第１入力節点によって前記比例積分制御器の前記出力端子に電気的接続され、前記トランジスタのコレクタは、前記線形レギュレータの前記第１出力節点に電気的接続され、前記トランジスタのエミッタは、前記線形レギュレータの前記第２出力節点に電気的接続される請求項８に記載のアクティブ型電流調整回路。
【請求項１４】
前記インピーダンスは、レジスタ、コンデンサ及びインダクタの中の１つを含む請求項１３に記載のアクティブ型電流調整回路。
【請求項１５】
前記整流器は、正端子及び負端子を有する第１ダイオード（Ｄ１）と正端子及び負端子を有する第２ダイオード（Ｄ２）とを含み、前記第１ダイオード（Ｄ１）の前記正端子は、前記整流器の前記第２入力端子に電気的接続され、前記第１ダイオード（Ｄ１）の前記負端子と前記第２ダイオード（Ｄ２）の前記正端子は、互いに電気的接続され、かつ前記整流器の第１入力端子に接続され、前記第２ダイオード（Ｄ２）の前記負端子は、前記整流器の前記第１出力端子に電気的接続される請求項８に記載のアクティブ型電流調整回路。
【請求項１６】
入力端子及び出力端子を有するＲＣフィルターを更に含み、前記ＲＣフィルター前記入力端子は、前記整流器の前記第１出力端子に電気的接続され、かつその前記出力端子は、前記接地節点に電気的接続される請求項８に記載のアクティブ型電流調整回路。
【請求項１７】
前記ＲＣフィルターは、抵抗値Ｒ５を有する第５レジスタと容量値Ｃ２を有する第２コンデンサとを更に含み、前記第５レジスタ及び前記第２コンデンサは、前記入力端子と前記出力端子の間に並列に電気的接続される請求項１６に記載のアクティブ型電流調整回路。
【請求項１８】
前記第１入力節点と前記比例積分制御器の前記第１入力節点の間に電気的接続される抵抗値Ｒ７を有するレジスタを更に含む請求項８に記載のアクティブ型電流調整回路。
【請求項１９】
ＤＣ電源に電気的接続され、ＤＣ電圧をＡＣ電圧に変換する単一ドライバ、１次コイル及び２次コイルを含み、前記１次コイルは、第１端子及び第２端子を有し、前記２次コイルは、第１端子及び第２端子を有し、前記１次コイルの前記第１端子及び前記第２端子は、前記単一ドライバに電気的接続され、前記ＡＣ電圧を受け、前記２次コイルの前記第２端子は、接地に電気的接続され、かつ前記１次コイル及び前記２次コイルは、互いに電磁的接続され、かつ前記単一ドライバからの前記ＡＣ電圧が前記１次コイルの前記第１端子及び前記第２端子に供給された時前記２次コイルの前記第１端子及び前記第２端子間に出力電圧が発生されるように設置される変圧器、
それぞれＬ１、Ｌ２〜ＬＮからなるＮ個のランプを有し、Ｎは整数であり、ランプＬｉは、第１端子Ｔｉ１及び第２端子Ｔｉ２を有し、ｉ＝１〜Ｎであり、かつ前記Ｎ個のランプは、前記２次コイルに並列に電気的接続され、かつ各前記ランプＬｉの前記第１端子Ｔｉ１が前記２次コイルの前記第１端子に電気的接続され、前記２次コイルからの前記出力電圧を受け、前記ランプＬｉの対応する前記第２端子に対応するランプ電流ＩＬｉが発生されるように設置されるランプモジュール、
ランプ｛Ｌｉ｝の前記第２端子｛Ｔｉ２｝によって前記Ｎ個のランプに電気的接続され、ｉ＝１〜Ｎであり、その対応した電流｛ＩＬｉ｝を動的に調整する請求項１乃至１８のいずれか１項に記載のアクティブ型電流調整回路を有する電流調整モジュール、及び
前記電流調整モジュールと互いに通信し、電圧基準信号を受け、対応する制御電圧を前記電流調整モジュールに提供して前記電流調整モジュールを駆動し、少なくとも１つのランプ｛Ｌｉ｝の前記電流｛ＩＬｉ｝を調整し、ｉ＝１〜Ｎであるデジタルコントローラ、
を含む発光構造。
【請求項２０】
前記単一ドライバと互いに通信し、制御可能な信号を前記単一ドライバに提供するコントローラチップ（３０６）を更に含む請求項１９に記載の発光構造。
【請求項２１】
Ｎ個のコンデンサ｛ＣＬｉ｝を更に含み、ｉ＝１〜Ｎであり、各コンデンサＣＬｉは、対応するランプＬ１の前記第１端子Ｔｉ１に直列に電気的接続される請求項１９に記載の発光構造。
【請求項２２】
前記電流調整モジュールは、少なくとも１つの前記アクティブ型電流調整回路を含み、前記電流調整モジュールが受けた電圧基準信号に基づいて、ランプ｛Ｌ１｝の少なくとも１つを動的に調整し、ｉ＝１〜Ｎである請求項１９に記載の発光構造。
【請求項２３】
前記電流調整モジュール４３０は、Ｎ−１個の前記アクティブ型電流調整回路｛ＡＣＲｉ｝を含み、ｉ＝２〜Ｎであり、かつ各前記アクティブ型電流調整回路｛ＡＣＲｉ｝は、対応するランプＬｉの前記第２端子Ｔｉ２に電気的接続され、前記アクティブ型電流調整回路ＡＣＲｉが受けた電圧基準信号に基づいて前記対応するランプＬｉのランプ電流ＩＬｉを動的に調整する請求項１９に記載の発光構造。
【請求項２４】
第１電圧基準Ｖｒｅｆを受ける第１入力節点Ａｉ、第２電圧基準Ｖｄｉを受ける第２入力節点Ｂｉ、それを接地させる接地節点Ｃｉ及び前記電流ＩＬｉを流れさせる出力節点Ｄｉを有する前記アクティブ型電流調整回路ＡＣＲｉを更に含み、かつ操作の時、少なくとも１つの前記第１入力節点Ａｉ及び第２入力節点Ｂｉの電圧基準にそれぞれ基づいて、前記出力節点Ｄｉに制御電圧信号を発生し、前記電流ＩＬｉを調整する請求項２３に記載の発光構造。
【請求項２５】
前記第１電圧基準Ｖｒｅｆは、前記電流ＩＬｉに対応する請求項２４に記載の発光構造。
【請求項２６】
ＤＣ電源に電気的接続され、ＤＣ電圧をＡＣ電圧に変換する単一ドライバ、１次コイル及び２次コイルを含み、前記１次コイルは、第１端子及び第２端子を有し、前記２次コイルは、第１端子及び第２端子を有し、前記１次コイルの前記第１端子と前記第２端子は、前記単一ドライバに電気的接続され、前記ＡＣ電圧を受け、前記２次コイルの前記第２端子は、接地に電気的接続され、かつ前記１次コイル及び前記２次コイルは、互いに電磁的接続され、かつ前記単一ドライバからの前記ＡＣ電圧が前記１次コイルの前記第１端子及び前記第２端子に供給された時、前記２次コイルの前記第１端子及び前記第２端子間に出力電圧が発生されるように設置される変圧器、
それぞれＬ２〜ＬＮからなるＮ−１個のランプを有し、Ｎは整数であり、ランプＬｉは、第１端子Ｔｉ１及び第２端子Ｔｉ２を有し、ｉ＝２〜Ｎであり、かつ前記Ｎ−１個のランプは、前記２次コイルに並列に電気的接続され、かつ各前記ランプＬｉの前記第１端子Ｔｉ１が前記２次コイルの前記第１端子に電気的接続され、前記２次コイルからの前記出力電圧を受け、前記ランプＬｉの対応する前記第２端子に対応するランプ電流ＩＬｉが発生されるように設置されるランプモジュール、
前記ランプ｛Ｌｉ｝の前記第２端子｛Ｔｉ２｝によって前記Ｎ−１個のランプに電気的接続され、ｉ＝２〜Ｎであり、前記電流｛ＩＬｉ｝を動的に調整する請求項１乃至１８のいずれか１項に記載のアクティブ型電流調整回路を有する電流調整モジュール、及び
前記電流調整モジュールと互いに通信し、電圧基準信号を受け、対応する制御電圧を前記電流調整モジュールに提供して前記電流調整モジュールを駆動し、少なくとも１つのランプ｛Ｌｉ｝の前記電流｛ＩＬｉ｝を調整し、ｉ＝２〜Ｎであるデジタルコントローラ、
を含む発光構造。
【請求項２７】
前記単一ドライバと互いに通信し、制御可能な信号を前記単一ドライバに提供するコントローラチップ（６０６）を更に含む請求項２６に記載の発光構造。
【請求項２８】
Ｎ−１個のコンデンサ｛ＣＬｉ｝を更に含み、ｉ＝２〜Ｎであり、各コンデンサＣＬｉは、対応するランプＬ１の前記第１端子Ｔｉ１に直列に電気的接続される請求項２６に記載の発光構造。
【請求項２９】
前記変圧器の２次コイルに電気的接続され、かつＮ−１個のランプに並列接続され、電流ＩＬｉを流すインピーダンス部品を更に含み、前記インピーダンス部品は、実効インピーダンスＺＬｆを有する請求項２６に記載の発光構造。
【請求項３０】
前記インピーダンス部品は、レジスタ、コンデンサ及びインダクタの中の１つを含む請求項２９に記載の発光構造。
【請求項３１】
前記電流調整モジュールは、Ｎ−１個の前記アクティブ型電流調整回路｛ＡＣＲｉ｝を含み、ｉ＝２〜Ｎであり、かつ各前記アクティブ型電流調整回路｛ＡＣＲｉ｝は、対応するランプＬｉの前記第２端子Ｔｉ２に電気的接続され、前記アクティブ型電流調整回路ＡＣＲｉが受けた電圧基準信号に基づいて前記対応するランプＬｉのランプ電流ＩＬｉを動的に調整する請求項２９に記載の発光構造。
【請求項３２】
第１電圧基準Ｖｒｅｆを受ける第１入力節点Ａｉ、第２電圧基準Ｖｄｉを受ける第２入力節点Ｂｉ、それを接地させる接地節点Ｃｉ及び前記電流ＩＬｉを流れさせる出力節点Ｄｉを有する前記アクティブ型電流調整回路ＡＣＲｉを更に含み、かつ操作の時、少なくとも１つの前記第１入力節点Ａｉ及び第２入力節点Ｂｉの電圧基準にそれぞれ基づいて、前記出力節点Ｄｉに制御電圧信号を発生し、前記電流ＩＬｉを調整する請求項３１に記載の発光構造。
【請求項３３】
前記第１電圧基準Ｖｒｅｆは、前記電流ＩＬｉに対応する請求項３２に記載の発光構造。
【発明の詳細な説明】
【技術分野】
【０００１】
本発明は、電流調整回路に関し、特に、その発光構造から発された光の輝度と均一度を大幅に改善するアクティブ型電流調整回路及び発光構造の応用に関するものである。
【背景技術】
【０００２】
液晶ディスプレイ（以下ＬＣＤと称する）パネルでは、例えば、冷陰極蛍光管（以下ＣＣＦＬと称する）のマルチランプを有するバックライトモジュールが照明に用いられる。通常、これらのランプは、ドライバ及び変圧器を含む電力変換の段階でそれぞれ駆動される。図７は、従来のバックライト駆動構造を表しており、ドライバ１〜ドライバＮは、プリント回路板（以下ＰＣＢと称する）に取り付けられ、バックライトモジュールのランプＣＣＦＬ−１〜ＣＣＦＬ−Ｎをそれぞれ駆動する。その中のＮは、整数である。更に大きなＬＣＤパネルには、バックライトモジュール内は、ＬＣＤパネルに十分な照明を提供するために、更に多くのランプを必要とする。しかし、バックライトモジュール内のランプ数が増加した時、駆動をさせる駆動部品も対応して増加され、コストを高くし、サイズも大きくさせる。また、それぞれの電力変換の段階も異なる周波数で操作する。このような同期しない操作は、相互干渉を引き起こし易く、更に深刻には、ＬＣＤパネルのビデオ信号を干渉し、画面にリップルノイズが発生する可能性がある。
【０００３】
バックライトのコストを低減するために、通常、平衡回路を用いて単一ドライバで複数のランプを駆動することができる。図８は、セルと見なされる平衡回路を用いた従来のバックライト駆動構造を表している。このバックライト駆動構造では、各ドライバ１〜ドライバＮは、一対のランプを駆動するように用いられ、平衡回路セルに適合されて、ランプＣＣＦＬ−１〜ＣＣＦＬ−２Ｎのランプの電流を平衡する。図９〜１１は、異なるタイプの平衡回路９０１、９０２及び９０３を表している。一般的に、平衡回路は、コンデンサ、インダクタ及び／又は変圧器を含む。全てのこれらのコンデンサ、インダクタ及び変圧器は、全て受動部品に属する。受動部品そのものの特性に限りがあることから、用いられる受動部品が多ければ多いほど、平衡回路に引き起こされる誤差が大きくなる。また、受動部品はそのもののパラメータを自動調整することができないことから、これらのランプは、その周囲の環境に対してかなり敏感である。仮に、ドライバが既定の周波数から異なる周波数で操作する時、受動部品の操作パラメータも再調整されなければならない。よって、平衡回路での受動部品の使用は、バックライトモジュールのランプ電流の平衡効果を制限する可能性がある。
【０００４】
また、例えば、特許文献１（米国特許第６，４２０，８３９号）には、トランジスタ、ダイオード及び比較器等の能動部品より構成された電流平衡回路が開示されている。図１２に示すように、電流平衡回路２０は、付属ランプＬｐｓに直列接続されたトランジスタＣｘと、トランジスタのエミッタとコレクタがコンデンサＣｘの両端にそれぞれ接続された第１トランジスタＱｐ及び第２トランジスタＱｎと、第１トランジスタＱｐのコレクタと第２トランジスタＱｎのエミッタにそれぞれ接続された第１ダイオードＤｐ及び第２ダイオードＤｎと、比較器２２を含む。比較器２２は、２つの入力端子と１つの出力端子を有し、２つの入力端子は、サンプリングレジスタＲｍとサンプリングレジスタＲｓにそれぞれ接続され、出力端子は、第１トランジスタＱｐと第２トランジスタＱｎのベースに接続される。サンプリングレジスタＲｍとＲｓによって、主要ランプＬｐｍと付属ランプＬｐｓの電流値Ｉｍ、Ｉｓが電圧値Ｖｍ、Ｖｓに変換され、続いて、比較器２２の正入力端子と負入力端子にそれぞれ送られる。仮に、Ｖｍ＞Ｖｓの時、即ち、主要ランプＬｐｍに流れた電流Ｉｍが付属ランプＬｐｓに流れた電流Ｉｓより大きい時、比較器２２は、高電圧レベル（＝Ｖｒｅｆ）を出力する。よって、第１トランジスタＱｐ及び第２トランジスタＱｎを駆動してコンデンサＣｘを放電し、コンデンサＣｘの等価容量リアクタンスを減少させるため、流れた電流Ｉｓが増加する。仮に、Ｖｓ＞Ｖｍの時、即ち、付属ランプＬｐｓに流れた電流Ｉｓが主要ランプＬｐｍに流れた電流Ｉｍより大きい時、比較器２２は、低電圧レベル（＝ＧＮＤ）を出力する。よって、第１トランジスタＱｐ及び第２トランジスタＱｎは駆動されずにコンデンサＣｘを放電せず、コンデンサＣｘの等価容量リアクタンスを元の値で維持するため、流れた電流Ｉｓが減少する。電流平衡回路２０は、操作周波数とその周囲環境に対して敏感でない。しかし、トランジスタは、スイッチングモードで操作され、ランプ電流の波形を非対称にさせる。この非対称な電流波形は、ランプの寿命を短縮する。また、比較器の高電圧レベルと低電圧レベルの２ビット出力は、ランプ電流の不正確を招く。また、電流平衡回路２０は、比較的長い応答時間を有し、バックライトモジュールの性能を制限する可能性もある。よって、上述の問題を解決する電流調整回路を提供する必要がある。
【０００５】
【特許文献１】米国特許第６，４２０，８３９号
【発明の開示】
【発明が解決しようとする課題】
【０００６】
従って、本発明の目的は、光の輝度と均一度を大幅に改善することができるアクティブ型電流調整回路及び発光構造を提供することにある。
【課題を解決するための手段】
【０００７】
上述の目的に基づいて、本発明は、第１基準電気信号を受ける第１入力節点、第２基準電気信号を受ける第２入力節点、接地節点及び前記接地節点に対応した出力電気信号を出力する出力節点を含むアクティブ型電流調整回路を提供する。
【０００８】
前記アクティブ型電流調整回路は、第１入力節点、第２入力節点及び出力節点を有する比例積分制御器を更に含む。前記比例積分制御器は、第１入力端子、第２入力端子、出力端子及び第１コンデンサを有する増幅器を含み、前記第１入力端子は、前記比例積分制御器の第１入力節点に接続され、前記第２入力端子は、前記比例積分制御器の第２入力節点に接続され、前記出力端子は、前記比例積分制御器の出力節点に接続され、かつ前記第１コンデンサは、容量値Ｃ１を有し、前記増幅器の第２入力端子と前記出力端子の間に電気的接続される。
【０００９】
前記アクティブ型電流調整回路は、第１入力節点、第２入力節点、第１出力接点及び第２出力節点を有する線形レギュレータも含む。線形レギュレータは、ベース、エミッタ及びコレクタをそれぞれ有する第１トランジスタ及び第２トランジスタを含む。第１トランジスタのエミッタは、第２トランジスタのコレクタに電気的接続され、かつ第１トランジスタのコレクタは、第２トランジスタのエミッタに電気的接続される。また、第１トランジスタのベースは、線形レギュレータの第１入力節点によって前記比例積分制御器の出力端子に電気的接続され、第２トランジスタのベースは、前記線形レギュレータの第２入力節点によって前記比例積分制御器の出力端子に電気的接続される。第１トランジスタのコレクタと第２トランジスタのエミッタは、前記線形レギュレータの第１出力節点に電気的接続され、第１トランジスタのエミッタ及び第２トランジスタのコレクタは、前記線形レギュレータの第２出力節点に電気的接続される。一実施形態では、前記線形レギュレータは、前記線形レギュレータの第１入力節点と第１トランジスタのベースの間に電気的接続された抵抗値Ｒ３を有する第３レジスタと前記線形レギュレータの第２入力節点と第２トランジスタのベースの間に電気的接続された抵抗値Ｒ４を有する第４レジスタとを更に含む。
【００１０】
また、前記アクティブ型電流調整回路は、第１入力端子、第２入力端子及び第１出力端子を有する整流器を含み、前記整流器の第１入力端子は、前記線形レギュレータの第２出力節点に電気的接続され、前記整流器の第２入力端子は、前記接地節点に電気的接続され、かつ前記整流器の第１出力端子は、前記増幅器の第２入力端子に電気的接続される。一実施形態では、前記整流器は、正端子及び負端子を有する第１ダイオードＤ１と正端子及び負端子を有する第２ダイオードＤ２とを含む。前記第１ダイオードＤ１の正端子は、前記整流器の第２入力端子に電気的接続され、前記第１ダイオードＤ１の負端子と前記第２ダイオードＤ２の正端子は、互いに電気的接続され、かつ前記整流器の第１入力端子に接続され、前記第２ダイオードＤ２の負端子は、前記整流器の第１出力端子に電気的接続される。
【００１１】
また、前記アクティブ型電流調整回路は、入力端子及び出力端子を有するＲＣフィルターを含む。ＲＣフィルターの入力端子は、前記整流器の第１出力端子に電気的接続され、かつその出力端子は、前記接地節点に電気的接続される。一実施形態では、前記ＲＣフィルターは、抵抗値Ｒ５を有する第５レジスタと容量値Ｃ２を有する第２コンデンサとを更に含み、前記第５レジスタ及び前記第２コンデンサは、前記ＲＣフィルターの入力端子と出力端子の間に並列に電気的接続される。
【００１２】
また、前記アクティブ型電流調整回路は、入力端子及び出力端子を有する調光器を含み、前記調光器の入力端子は、前記アクティブ型電流調整回路の第２入力節点に電気的接続され、かつ前記調光器の出力端子は、前記比例積分制御器の第１入力節点又は第２入力節点に電気的接続されることができる。前記調光器は、ダイオードＤ３及び抵抗値Ｒ１を有する第１レジスタを更に含み、前記ダイオードＤ３は、前記調光器の入力端子に互いに接続された１つの端子によって前記第２入力節点に電気的接続され、かつ前記第１レジスタは、前記ダイオードＤ３と前記調光器の出力端子に直列接続される。
【００１３】
前記アクティブ型電流調整回路は、前記アクティブ型電流調整回路の第１入力節点と前記比例積分制御器の第１入力節点の間に電気的接続される抵抗値Ｒ７を有するレジスタを更に含む。
【００１４】
操作において、電圧信号Ｖ０は、前記増幅器の第１入力端子又は第２入力端子に供給された少なくとも１つの入力電圧信号に基づいて、前記比例積分制御器の出力節点に発生され、前記線形レギュレータを駆動して前記出力節点に制御可能な電気信号を発生する。
【００１５】
一実施形態では、前記比例積分制御器は、前記増幅器の第２入力端子と前記整流器の第１出力端子に直列接続された抵抗値Ｒ２を有する第２レジスタを更に含む。前記調光器の出力端子が前記比例積分制御器の第２入力節点に電気的接続された時、既定時間ｔの時の前記電圧信号Ｖ０、Ｖ０（ｔ）は、下記の式を満たす：
【００１６】
【数５】
0004686434.tif 000002
【００１７】
ここで、Ｖｒｅｆは、前記比例積分制御器の第１入力節点で受けた第１入力電圧信号であり、Ｖｄは、前記比例積分制御器の第２入力節点で受けた第２入力電圧信号であり、ＶＬは、前記整流器の第１出力端子からの前記第２レジスタで受けた第３入力電圧信号であり、τは、前記第１入力電圧信号Ｖｒｅｆの周期であり、かつ前記比例積分制御器の作用は、積分制御器と同じである。
【００１８】
前記比例積分制御器は、前記第１コンデンサと前記増幅器の出力端子に直列接続された抵抗値Ｒ６を有する選択レジスタを更に含み、かつ前記調光器の出力端子が前記比例積分制御器の第２入力節点に電気的接続された時、既定時間ｔの時の前記電圧信号Ｖ０、Ｖ０（ｔ）は、下記の式を満たす：
【００１９】
【数６】
0004686434.tif 000003
【００２０】
一実施形態では、前記比例積分制御器より出力された電圧信号Ｖ０（ｔ）は、前記第２入力電圧信号Ｖｄの波形に対応した波形を有し、前記出力節点の制御可能な電気信号が前記第２入力電圧信号Ｖｄの波形の変化に伴って変化できるようにさせる。
【００２１】
本発明は、もう１つのアクティブ型電流調整回路を提供する。一実施形態では、アクティブ型電流調整回路は、第１基準電気信号を受ける第１入力節点、第２基準電気信号を受ける第２入力節点、接地節点及び前記接地節点に対応した出力電気信号を出力する出力節点を含む。
【００２２】
前記アクティブ型電流調整回路は、第１入力節点、第２入力節点及び出力節点を有する比例積分制御器を更に含み、前記比例積分制御器は、第１入力端子、第２入力端子、出力端子及び第１コンデンサを有する増幅器を含み、前記第１入力端子は、前記比例積分制御器の第１入力節点に接続され、前記第２入力端子は、前記比例積分制御器の第２入力節点に接続され、前記出力端子は、前記比例積分制御器の出力節点に接続され、かつ前記第１コンデンサは、容量値Ｃ１を有し、前記増幅器の第２入力端子と前記出力端子の間に電気的接続される。前記比例積分制御器は、前記増幅器の第２入力端子と前記整流器の第１出力端子に直列接続された抵抗値Ｒ２とを有する第２レジスタ、前記第１コンデンサと前記増幅器の出力端子に直列接続された抵抗値Ｒ６を有する選択レジスタを更に含む。
【００２３】
また、アクティブ型電流調整回路は、前記比例積分制御器の出力端子、第１出力節点及び第２出力節点に電気的接続された第１入力節点とを有し、かつ前記第１入力節点によって、前記比例積分制御器の出力端子からの電圧信号Ｖ０を受ける線形レギュレータを含み、操作の時、電圧信号Ｖ０は、前記増幅器の第１入力端子又は第２入力端子に供給された少なくとも１つの入力電圧信号に基づいて、前記比例積分制御器の出力節点に発生され、前記線形レギュレータを駆動して前記出力節点に制御可能な電気信号を発生する。
【００２４】
一実施形態では、前記線形レギュレータは、第１トランジスタ及び第２トランジスタを含み、ベース、エミッタ及びコレクタをそれぞれ有する。第１トランジスタのエミッタは、第２トランジスタのコレクタに電気的接続され、かつ第１トランジスタのコレクタは、第２トランジスタのエミッタに電気的接続される。また、第１トランジスタのベースは、線形レギュレータの第１入力節点によって前記比例積分制御器の出力端子に電気的接続され、第２トランジスタのベースは、前記線形レギュレータの第２入力節点によって前記比例積分制御器の出力端子に電気的接続される。第１トランジスタのコレクタ及び第２トランジスタのエミッタは、前記線形レギュレータの第１出力節点に電気的接続され、第１トランジスタのエミッタ及び第２トランジスタのコレクタは、前記線形レギュレータの第２出力節点に電気的接続される。
【００２５】
もう一つの実施形態では、前記線形レギュレータは、ベース、エミッタ、コレクタ及びインピーダンスを有するトランジスタを含み、前記インピーダンスは、トランジスタのコレクタとエミッタの間に電気的接続される。前記トランジスタのベースは、前記線形レギュレータの第１入力節点によって前記比例積分制御器の出力端子に電気的接続される。前記トランジスタのコレクタは、前記線形レギュレータの第１出力節点に電気的接続され、前記トランジスタのエミッタは、前記線形レギュレータの第２出力節点に電気的接続される。前記インピーダンスは、レジスタ、コンデンサ及びインダクタの中の１つを含む。
【００２６】
前記アクティブ型電流調整回路は、入力端子及び出力端子を有する調光器を含み、前記調光器の入力端子は、前記アクティブ型電流調整回路の第２入力節点に電気的接続され、かつ前記調光器の出力端子は、前記比例積分制御器の第１入力節点又は第２入力節点に電気的接続されることができる。一実施形態では、前記調光器は、前記調光器の入力端子に接続された１つの端子によって前記アクティブ型電流調整回路の前記第２入力節点と抵抗値Ｒ１を有する第１レジスタに電気的接続され、前記ダイオードＤ３と前記調光器の出力端子に直列接続されるダイオードＤ３を更に含む。
【００２７】
一実施形態では、前記アクティブ型電流調整回路は、第１入力端子、第２入力端子及び第１出力端子を有する整流器を含み、前記整流器の第１入力端子は、前記線形レギュレータの第２出力節点に電気的接続され、前記整流器の第２入力端子は、前記接地節点に電気的接続され、かつ前記整流器の第１出力端子は、前記増幅器の第２入力端子に電気的接続される。
【００２８】
前記アクティブ型電流調整回路は、入力端子及び出力端子を有するＲＣフィルターを含む。前記ＲＣフィルターの入力端子は、前記整流器の第１出力端子に電気的接続され、かつ前記ＲＣフィルターの出力端子は、前記接地節点に電気的接続される。一実施形態では、前記ＲＣフィルターは、抵抗値Ｒ５を有する第５レジスタ及び容量値Ｃ２を有する第２コンデンサを更に含み、前記第５レジスタ及び前記第２コンデンサは、前記ＲＣフィルターの入力端子と出力端子の間に直列に電気的接続される。
【００２９】
もう１つの態様では、本発明は発光構造を提供する。一実施形態では、前記発光構造は、ＤＣ電源に電気的接続され、ＤＣ電圧をＡＣ電圧に変換する単一ドライバを含む。前記発光構造は、１次コイル及び２次コイルを含む変圧器も含む。前記１次コイルは、第１端子及び第２端子を有し、前記２次コイルは、第１端子及び第２端子を有し、前記１次コイルの第１端子及び第２端子は、前記単一ドライバ３０４に電気的接続され、前記ＡＣ電圧を受け、前記２次コイルの第２端子は、接地に電気的接続される。前記１次コイル及び２次コイルは、互いに電磁的接続され、かつ前記単一ドライバからの前記ＡＣ電圧が前記１次コイルの第１端子及び第２端子に供給された時、前記２次コイルの第１端子と前記第２端子間に出力電圧が発生されるように設置される。
【００３０】
前記発光構造は、それぞれＬ１、Ｌ２〜ＬＮからなるＮ個のランプを有し、Ｎは整数であるランプモジュールを更に含む。ランプＬｉは、第１端子Ｔｉ１及び第２端子Ｔｉ２を有し、ｉ＝１〜Ｎであり、かつ前記Ｎ個のランプは、前記２次コイルに並列に電気的接続され、かつ各前記ランプＬｉの第１端子Ｔｉ１が前記２次コイルの第１端子に電気的接続され、前記２次コイルからの前記出力電圧を受け、前記ランプＬｉの対応する第２端子Ｔｉ２に対応するランプ電流ＩＬｉが発生されるように設置される。
【００３１】
また、前記発光構造は、前記ランプ｛Ｌｉ｝の第２端子によって前記Ｎ個のランプに電気的接続される電流調整モジュールも含み、ｉ＝１〜Ｎであり、そのランプ電流｛ＩＬｉ｝を動的に調整する。前記電流調整モジュールは、少なくとも１つのアクティブ型電流調整回路を含み、前記電流調整モジュールが受けた電圧基準信号に基づいて、前記ランプ｛Ｌｉ｝の少なくとも１つを動的に調整し、ｉ＝１〜Ｎである。実施例では、前記電流調整モジュールは、Ｎ−１個のアクティブ型電流調整回路｛ＡＣＲｉ｝を含み、ｉ＝１〜Ｎであり、かつ各アクティブ型電流調整回路｛ＡＣＲｉ｝は、対応するランプＬｉの第２端子Ｔｉ２に電気的接続され、前記アクティブ型電流調整回路ＡＣＲｉが受けた電圧基準信号に基づいて前記対応するランプＬｉのランプ電流ＩＬｉを動的に調整する。前記アクティブ型電流調整回路ＡＣＲｉは、第１電圧基準Ｖｒｅｆを受ける第１入力節点Ａｉ、第２電圧基準Ｖｄｉを受ける第２入力節点Ｂｉ、前記アクティブ型電流調整回路ＡＣＲｉを接地させる接地節点Ｃｉ及び前記電流ＩＬｉを流れさせる出力節点Ｄｉを有し、かつ操作の時、少なくとも１つの前記第１入力節点Ａｉ及び第２入力節点Ｂｉの電圧基準にそれぞれ基づいて、前記出力節点Ｄｉに制御電圧信号を発生し、前記電流ＩＬｉを調整する。
【００３２】
また、前記発光構造は、前記電流調整モジュールと互いに通信し、電圧基準信号を受け、対応する制御電圧を前記電流調整モジュールに提供して前記電流調整モジュールを駆動し、少なくとも１つの前記ランプ｛Ｌｉ｝の電流｛ＩＬｉ｝を調整し、ｉ＝１〜Ｎであるデジタルコントローラを含む。
【００３３】
前記発光構造は、前記単一ドライバと互いに通信し、制御可能な信号を前記単一ドライバに提供するコントローラチップを更に含むことができる。一実施形態では、前記発光構造は、Ｎ個のコンデンサ｛ＣＬｉ｝を更に含み、ｉ＝１〜Ｎであり、各コンデンサＣＬｉは、対応するランプＬ１の第１端子Ｔｉ１に直列に電気的接続される。
【００３４】
本発明はもう１つの発光構造を提供する。一実施形態では、発光構造は、ＤＣ電源に電気的接続され、ＤＣ電圧をＡＣ電圧に変換する単一ドライバを含む。また、発光構造は、１次コイル及び２次コイルを有する変圧器も含む。前記１次コイルは、第１端子及び第２端子を有し、前記２次コイルは、第１端子及び第２端子を有し、前記１次コイルの第１端子及び第２端子は、前記単一ドライバに電気的接続され、前記ＡＣ電圧を受け、前記２次コイルの第２端子は、接地に電気的接続される。前記１次コイル及び２次コイルは、互いに電磁的接続され、かつ前記単一ドライバからの前記ＡＣ電圧が前記１次コイルの第１端子と第２端子に供給された時、前記２次コイルの第１端子と第２端子間に出力電圧が発生されるように設置される。
【００３５】
前記発光構造は、前記変圧器の２次コイルに電気的接続され、かつＮ−１個のランプに並列接続され、電流ＩＬｉを流すインピーダンス部品も含むことができる。前記インピーダンス部品は、実効インピーダンスＺＬｆを有し、かつ前記インピーダンス部品は、レジスタ、コンデンサ及びインダクタの中の１つを含む。
【００３６】
また、前記発光構造は、それぞれＬ２〜ＬＮからなるＮ−１個のランプを有し、Ｎは整数であるランプモジュールも含む。ランプＬｉは、第１端子Ｔｉ１及び第２端子Ｔｉ２を有し、ｉ＝２〜Ｎであり、かつ前記Ｎ−１個のランプは、前記２次コイルに並列に電気的接続され、かつ各前記ランプＬｉの第１端子Ｔｉ１が前記２次コイルの第１端子に電気的接続され、前記２次コイルからの前記出力電圧を受け、前記ランプＬｉの対応する前記第２端子Ｔｉ２に対応するランプ電流ＩＬｉが発生されるように設置される。
【００３７】
前記発光構造は、前記ランプ｛Ｌｉ｝の第２端子｛Ｔｉ２｝によって前記Ｎ−１個のランプに電気的接続される電流調整モジュールも含み、ｉ＝２〜Ｎであり、そのランプ電流｛ＩＬｉ｝を動的に調整する。一実施形態では、前記電流調整モジュールは、Ｎ−１個のアクティブ型電流調整回路｛ＡＣＲｉ｝を含み、ｉ＝２〜Ｎであり、かつ各アクティブ型電流調整回路｛ＡＣＲｉ｝は、対応するランプＬｉの第２端子Ｔｉ２に電気的接続され、前記アクティブ型電流調整回路ＡＣＲｉが受けた電圧基準信号に基づいて前記対応するランプＬｉのランプ電流ＩＬｉを動的に調整する。
【００３８】
前記発光構造は、前記電流調整モジュールと互いに通信し、電圧基準信号を受け、対応する制御電圧を前記電流調整モジュールに提供して前記電流調整モジュールを駆動し、少なくとも１つの前記ランプ｛Ｌｉ｝の電流｛ＩＬｉ｝を調整し、ｉ＝２〜Ｎであるデジタルコントローラを含む。前記発光構造は、前記単一ドライバと互いに通信し、制御可能な信号を前記単一ドライバに提供するコントローラチップを更に含むこともできる。
【発明の効果】
【００３９】
本発明のアクティブ型電流調整回路及びその発光構造によれば、その発光構造から発された光の輝度と均一度を大幅に改善することができる。
【発明を実施するための最良の形態】
【００４０】
本発明についての目的、特徴及び長所が一層明確に理解されるよう、以下に実施形態を例示し、図面を参照にしながら、詳細に説明する。
【００４１】
図１〜図６は、本発明の各実施形態に基づいた概略図を表している。上述のように、本発明の目的は、電流調整回路を提供し、特にアクティブ型電流調整回路及びその発光構造から発された光の輝度と均一度を動的に改善する発光構造上の応用に関する電流調整回路を提供する。
【００４２】
図１は、本発明の第１の実施形態に基づいたアクティブ型電流調整回路１００の概略図を表している。アクティブ型電流調整回路１００は、電圧値Ｖｒｅｆを有する第１基準電気信号を受ける第１入力節点１０２、電圧値Ｖｄを有する第２基準電気信号を受ける第２入力節点１０４、接地節点１０８及び前記接地節点１０８に対応した出力電気信号を出力する出力節点１０６を有する。アクティブ型電流調整回路１００は、調光器１１０、比例積分制御器１２０、整流器１７０及びＲＣフィルター１８０を含む。
【００４３】
図１に示すように、比例積分制御器１２０は、第１入力節点１２２（Ｖ＋）、第２入力節点１２４（Ｖ−）及び出力節点１２６を有する。調光器１１０は、入力端子１１２及び出力端子１１４を有し、調光器１１０の入力端子１１２は、第２入力節点１０４に電気的接続され、調光器１１０の出力端子１１４は、比例積分制御器１２０の第１入力節点１２２（Ｖ＋）又は第２入力節点１２４（Ｖ−）に電気的接続されることができる。
【００４４】
調光器１１０は、ダイオードＤ３と調光器１１０の入力端子１１２に互いに接続された１つの端子によってアクティブ型電流調整回路１００の第２入力節点１０４に電気的接続されたダイオードＤ３とダイオードＤ３及び調光器１１０の出力端子１１４に直列接続された抵抗値Ｒ１を有するレジスタ１１５とを含む。調光器１１０は、その出力端子から比例積分制御器１２０の第１入力節点１２２（Ｖ＋）又は第２入力節点１２４（Ｖー）に第２基準電気信号Ｖｄを提供するように用いられる。
【００４５】
比例積分制御器１２０は、増幅器１２８及び容量値Ｃ１を有する第１コンデンサ１３８を含む。増幅器１２８は、第１入力端子１３２、第２入力端子１３４及び出力端子１３６を有し、第１入力端子１３２は、比例積分制御器１２０の第１入力節点１２２（Ｖ＋）に接続され、第２入力端子１３４は、比例積分制御器１２０の第２入力節点１２４（Ｖー）に接続され、出力端子１３６は、比例積分制御器１２０の出力節点１２６に接続される。図１に示すように、比例積分制御器１２０は、増幅器１２８の第２入力端子１３４及び整流器１７０の第１出力端子１７６に直列接続された抵抗値Ｒ２を有する第２レジスタ１３９とコンデンサ１３８に直列接続され、増幅器１２８の出力端子１３６に接続された抵抗値Ｒ６を有するレジスタ１３７とを更に含む。
【００４６】
調光器１１０の出力端子１１４が比例積分制御器１２０の第２入力節点１２４（Ｖー）に電気的接続された時、既定時間ｔの時の電圧信号Ｖ０の出力Ｖ０（ｔ）は、下記の式を満たす：
【００４７】
【数７】
0004686434.tif 000004
【００４８】
ここで、Ｖｒｅｆは、比例積分制御器１２０の第１入力節点１２２で受けた第１入力電圧信号（第１基準電気信号）であり、Ｖｄは、比例積分制御器１２０の第２入力節点１２４で受けた第２入力電圧信号（第２基準電気信号）であり、ＶＬは、整流器１７０の第１出力端子１７６からの第２レジスタ１３９で受けた第３入力電圧信号であり、τは、第１入力電圧信号Ｖｒｅｆの周期である。第１入力電圧信号Ｖｒｅｆは、蛍光管の電流信号又は実効ランプインピーダンスに対応し、第２入力電圧信号Ｖｄは、制御可能な蛍光管の電流信号に対応する。電圧信号Ｖ０（ｔ）は、第２入力電圧信号Ｖｄの波形に対応した波形を有し、出力節点１０６の制御可能な電気信号が第２入力電圧信号Ｖｄの波形の変化に伴って変化できるようにさせる。
【００４９】
レジスタ１３７の抵抗値Ｒ６が０の時、即ち、Ｒ６＝０の時、既定時間ｔの時の比例積分制御器１２０の出力電圧信号Ｖ０は、下記の式を満たす：
【００５０】
【数８】
0004686434.tif 000005
【００５１】
この時、比例積分制御器１２０は、積分制御器として機能する。
【００５２】
式（１）及び（２）から見られるように、電圧信号ＶＬ、Ｖｄ及びＶｒｅｆのどの変化も比例積分制御器１２０からの電圧信号Ｖ０（ｔ）の変化を生じさせる。よって、調光器１１０の入力電圧Ｖｄが変化した時、比例積分制御器１２０からの出力電圧信号Ｖ０（ｔ）もそれに伴って変化し、波形と制御されるランプのランプ電流の値を調整する。また、式（１）及び（２）から結論を出すことができるように、比例積分制御器１２０から安定した電圧信号Ｖ０を出力して線形レギュレータ１４０を駆動するには、信号ＶＬは、第１入力電圧信号Ｖｒｅｆに等しくなければならない。
【００５３】
図１に示す実施形態では、線形レギュレータ１４０は、第１入力節点１４２、第２入力節点１４４、第１出力節点１４６及び第２出力節点１４８を有する。線形レギュレータ１４０は、第１トランジスタ１５０（Ｑ１）及び第２トランジスタ１６０（Ｑ２）を含み、第１トランジスタ１５０（Ｑ１）は、ベース１５２、エミッタ１５４及びコレクタ１５６を有し、第２トランジスタ１６０（Ｑ２）は、ベース１６２、エミッタ１６４及びコレクタ１６６を有する。第１トランジスタ１５０（Ｑ１）のエミッタ１５４は、第２トランジスタ１６０（Ｑ２）のコレクタ１６６に電気的接続され、第１トランジスタ１５０（Ｑ１）のコレクタ１５６は、第２トランジスタ１６０（Ｑ２）のエミッタ１６４に電気的接続される。また、第１トランジスタ１５０（Ｑ１）のベース１５２は、線形レギュレータ１４０の第１入力節点１４２によって比例積分制御器１２０の出力端子１２６に電気的接続され、第２トランジスタ１６０（Ｑ２）のベース１６２は、線形レギュレータ１４０の第２入力節点１４４によって比例積分制御器１２０の出力端子１２６に電気的接続される。また、第１トランジスタ１５０（Ｑ１）のコレクタ１５６及び第２トランジスタ１６０（Ｑ２）のエミッタ１６４は、線形レギュレータ１４０の第１出力節点１４６に電気的接続され、第１トランジスタ１５０（Ｑ１）のエミッタ１５４及び第２トランジスタ１６０（Ｑ２）のコレクタ１６６は、線形レギュレータ１４０の第２出力節点１４８に電気的接続される。線形レギュレータ１４０は、線形レギュレータ１４０の第１入力節点１４２と第１トランジスタ１５０（Ｑ１）のベース１５２の間に電気的接続された抵抗値Ｒ３を有する第３レジスタ１５５と線形レギュレータ１４０の第２入力節点１４４と第２トランジスタ１６０（Ｑ２）のベース１６２の間に電気的接続された抵抗値Ｒ４を有する第４レジスタ１５７とを含む。
【００５４】
整流器１７０は、第１入力端子１７２、第２入力端子１７４及び第１出力端子１７６を有し、整流器１７０の第１入力端子１７２は、線形レギュレータ１４０の第２出力節点１４８に電気的接続され、整流器１７０の第２入力端子１７４は、接地節点１０８に電気的接続され、整流器１７０の第１出力端子１７６は、増幅器１２８の第２入力端子１３４に電気的接続される。図１の実施形態では、整流器１７０は、正端子１７３及び負端子１７５を有する第１ダイオードＤ１（１７１）と正端子１７９及び負端子１８１を有する第２ダイオードＤ２（１７７）とを含む。第１ダイオードＤ１（１７１）の正端子１７３は、整流器１７０の第２入力端子１７４に電気的接続され、第１ダイオードＤ１（１７１）の負端子１７５と第２ダイオードＤ２（１７７）の正端子１７９は、互いに電気的接続されて、整流器１７０の第１入力端子１７２に接続され、第２ダイオードＤ２（１７７）の負端子１８１は、整流器１７０の第１出力端子１７６に電気的接続される。
【００５５】
図１に示すように、ＲＣフィルター１８０は、入力端子１８２及び出力端子１８４を有する。ＲＣフィルター１８０の入力端子１８２は、整流器１７０の第１出力端子１７６に電気的接続され、ＲＣフィルター１８０の出力端子１８４は、接地節点１０８に電気的接続される。ＲＣフィルターは、抵抗値Ｒ５を有する第５レジスタ１８５と容量値Ｃ２を有する第２コンデンサ１８３とを含み、第５レジスタ１８５及び第２コンデンサ１８３は、ＲＣフィルター１８０の入力端子１８２と出力端子１８４の間に並列に電気的接続される。
【００５６】
アクティブ型電流調整回路１００は、アクティブ型電流調整回路１００の第１入力節点１０２と比例積分制御器１２０の第１入力節点１２２の間に電気的接続される抵抗値Ｒ７を有するレジスタ１９２とを更に含む。
【００５７】
操作において、増幅器１２８の第１入力端子１３２に供給された少なくとも１つの入力電圧信号に基づいて、比例積分制御器１２０の出力節点１２６に電圧信号Ｖ０を発生し、線形レギュレータ１４０を駆動して出力節点１０６に制御可能な電気信号を発生する。注意するのは、アクティブ型電流調整回路１００の第１入力節点１０２に供給される電圧信号は、第１電圧基準信号Ｖｒｅｆと見なされる。続いて、第１電圧基準信号Ｖｒｅｆは、アクティブ型電流調整回路１００の比例積分制御器１２０の第１入力節点１２２（Ｖ＋）に送られる。また、１つの電流信号は、アクティブ型電流調整回路１００の出力節点１０６に送られる。この電流信号は、アクティブ型電流調整回路１００の線形レギュレータ１４０、整流器１７０及びＲＣフィルター１８０にそれぞれ流れ、第２電圧基準信号ＶＬに変換される。続いて、第２電圧基準信号ＶＬは、アクティブ型電流調整回路１００の比例積分制御器１２０の第２入力節点１２４（Ｖー）に送られる。続いて、比例積分制御器１２０は、対応する電圧信号Ｖ０を発生して出力し、線形レギュレータ１４０を駆動する。図１の実施形態では、線形レギュレータ１４０の作用は、電圧信号Ｖ０に対応した可変抵抗値を有する実効レジスタと同じである。よって、線形レギュレータ１４０を流れた電流は、電圧信号Ｖ０に伴って変わる。
【００５８】
図２は、本発明の第２の実施形態に基づいた線形レギュレータ２４０の概略図を表している。図の線形レギュレータ２４０は、ベース２５２、エミッタ２５４及びコレクタ２５６とインピーダンス２５７を有するトランジスタ２５０（Ｑ１）とを含み、インピーダンス２５７は、トランジスタ２５０（Ｑ１）のコレクタ２５６とエミッタ２５４の間に電気的接続される。トランジスタ２５０（Ｑ１）のベース２５２は、線形レギュレータ２４０の第１入力節点２４２によって比例積分制御器の出力端子に電気的接続される。トランジスタ２５０（Ｑ１）のコレクタ２５６は、線形レギュレータ２４０の第１出力節点２４６に電気的接続され、トランジスタ２５０（Ｑ１）のエミッタ２５４は、線形レギュレータ２４０の第２出力節点２４８にそれぞれ電気的接続される。図２に示すように、線形レギュレータ２４０は、線形レギュレータ２４０の第１入力節点２４２とトランジスタ２５０（Ｑ１）のベース２５２の間に接続された抵抗値Ｒ３を有するレジスタ２５５とを含むことができる。インピーダンス２５７は、少なくとも１つのレジスタ、コンデンサ及びインダクタを含む。
【００５９】
図３は、本発明の第３の実施形態に基づいた発光構造３００を表している。この実施形態では、発光構造３００は、単一ドライバ３０４、単一ドライバ３０４と互いに通信し、制御可能な信号を単一ドライバ３０４に提供するコントローラチップ３０６、単一ドライバ３０４と接続された変圧器３０８、変圧器３０８に接続されたランプモジュール３０２とランプモジュール３０２に接続され、ランプモジュール３０２の蛍光管の電流を調整する電流調整モジュール３３０とを含む。
【００６０】
単一ドライバ３０４は、ＤＣ電源に電気的接続され、ＤＣ電圧をＡＣ電圧に変換する。変圧器３０８は、第１端子３１０ａ及び第２端子３１０ｂを有する１次コイル３１０と第１端子３１２ａ及び第２端子３１２ｂを有する２次コイル３１２とを含む。１次コイル３１０の第１端子３１０ａ及び第２端子３１０ｂは、単一ドライバ３０４に電気的接続され、上述のＡＣ電圧を受け、２次コイル３１２の第２端子３１２ｂは、接地に電気的接続される。１次コイル３１０及び２次コイル３１２は、互いに電磁的接続され、単一ドライバ３０４からの上述のＡＣ電圧が１次コイル３１０の第１端子３１０ａ及び第２端子３１０ｂに供給された時、２次コイル３１２の第１端子３１２ａ及び第２端子３１２ｂ間に出力電圧が発生されるように設置される。発生された出力電圧は、ランプモジュール３０２に供給され、ランプモジュール３０２を駆動する。
【００６１】
この実施形態のランプモジュール３０２は、それぞれＬ１、Ｌ２〜ＬＮからなるＮ個のランプを有し、Ｎは整数である。ランプＬｉは、第１端子Ｔｉ１及び第２端子Ｔｉ２を有し、ｉ＝１〜Ｎである。Ｎ個のランプは、２次コイル３１２に並列に電気的接続され、全てのランプＬｉの第１端子Ｔｉ１が２次コイル３１２の第１端子３１２ａに電気的接続され、２次コイル３１２からの出力電圧を受け、ランプＬｉの対応する第２端子Ｔｉ２に対応するランプ電流ＩＬｉが発生されるように設置される。ランプモジュール３０２もＮ個のコンデンサ｛ＣＬｉ｝を含み、ｉ＝１〜Ｎである。全てのコンデンサＣＬｉは、対応するランプＬ１の第１端子Ｔｉ１に直列に電気的接続される。
【００６２】
電流調整モジュール３３０は、ランプ｛Ｌｉ｝の第２端子｛Ｔｉ２｝によって前記Ｎ個のランプに電気的接続される。ｉ＝１〜Ｎであり、そのランプ電流｛ＩＬｉ｝を動的に調整する。電流調整モジュール３３０は、例えば、ＩＣチップ及び／又は個別の電流調整回路等の統合された電流調整回路も含むことができる。ランプ｛Ｌｉ｝のランプ電流｛ＩＬｉ｝が受けられた時、電流調整モジュール３３０は、電流調整モジュール３３０が受けた電圧基準信号に基づいて各ランプ電流の対応値を調整する。この電圧基準信号は、その中の１つのランプ電流｛ＩＬｉ｝又は実効ランプインピーダンスの電流に対応する。ランプ電流｛ＩＬｉ｝の調整は、１つ又は複数のアクティブ型電流調整回路（図示せず）によって実現されることができる。また、デジタルコントローラ３４０は、電流調整モジュール３３０と互いに通信し、制御信号を受け、対応する制御電圧Ｖｃｏｎｔｒｏｌを電流調整モジュール３３０に提供して電流調整モジュール３３０を駆動する。よって、ランプ｛Ｌｉ｝を同期化し、リアルタイムでランプ｛Ｌｉ｝の輝度を調整する。ｉ＝１〜Ｎである。
【００６３】
図４は、本発明の第４の実施形態に基づいた発光構造４００の概略図を表している。電流調整モジュール４３０は、Ｎ−１個のアクティブ型電流調整回路｛ＡＣＲｉ｝を含み、ｉ＝１〜Ｎである。各アクティブ型電流調整回路｛ＡＣＲｉ｝は、対応するランプＬｉの第２端子Ｔｉ２に電気的接続され、アクティブ型電流調整回路ＡＣＲｉが受けた電圧基準信号Ｖｒｅｆに基づいて対応するランプＬｉのランプ電流ＩＬｉを動的に調整する。アクティブ型電流調整回路ＡＣＲｉは、第１電圧基準Ｖｒｅｆを受ける第１入力節点Ａｉ、第２電圧基準Ｖｄｉを受ける第２入力節点Ｂｉ、アクティブ型電流調整回路ＡＣＲｉを接地させる接地節点Ｃｉ及び電流ＩＬｉを流れさせる出力節点Ｄｉを有する。操作では、少なくとも１つの第１入力節点Ａｉの電圧基準Ｖｒｅｆと第２入力節点Ｂｉの電圧基準Ｖｄｉにそれぞれ基づいて、アクティブ型電流調整回路ＡＣＲｉの出力節点Ｄｉに制御電圧信号を発生し、それに伴って電流ＩＬｉを調整する。第１電圧基準Ｖｒｅｆは、第１ランプＬｉのランプ電流ＩＬｉに対応する。特に、第１ランプＬｉのランプ電流ＩＬｉは、整流器４３１に送られ、続いてＲＣフィルター４３２に送られ、ランプ電流ＩＬｉを第１電圧基準信号Ｖｒｅｆに変換する。電圧基準信号Ｖｒｅｆは続いて、アクティブ型電流調整回路ＡＣＲｉの第１入力節点Ａｉに供給される。アクティブ型電流調整回路ＡＣＲｉは、対応する制御電圧信号を発生し、それに伴ってランプ電流ＩＬｉを調整する。ｉ＝２〜Ｎである。実施形態では、ランプ電流ＩＬｉは、第１ランプ電流ＩＬｉに等しくなるまで調整される。
【００６４】
図４に示すように、デジタルコントローラ４４０は、アクティブ型電流調整回路ＡＣＲｉの第２入力節点Ｂｉが必要な制御電圧｛Ｖｄｉ｝を提供するように用いられ、全てのランプ｛Ｌｉ｝を同期化し、全てのランプ｛Ｌｉ｝の輝度を動的に調整する。ｉ＝２〜Ｎである。
【００６５】
図５は、本発明の第５の実施形態に基づいた発光構造５００の概略図を表している。発光構造５００は、主要ランプＬｐｍ、付属ランプＬｐｓ及び主要ランプＬｐｍと付属ランプＬｐｓと互いに通信するアクティブ型電流調整回路ＡＣＲ２を有する。操作の時、主要ランプＬｐｍのランプ電流Ｉｍは、整流器５３１に送られ、続いてＲＣフィルター５３２に送られ、ランプ電流Ｉｍを電圧基準信号Ｖｍに変換する。電圧信号Ｖｍは、アクティブ型電流調整回路ＡＣＲ２の比例積分制御５２０の第１入力節点（Ｖ＋）に送られた電圧基準信号Ｖｒｅｆ（＝Ｖｍ）として、アクティブ型電流調整回路ＡＣＲ２の第１入力節点Ａに供給される。また、付属ランプＬｐｓのランプ電流Ｉｓもアクティブ型電流調整回路ＡＣＲ２の節点Ｄに供給される。ランプ電流Ｉｓは、線形レギュレータ５４０、整流器５７０及びＲＣフィルター５８０にそれぞれ流れ、電圧信号Ｖｓ（＝ＶＬ）に変換される。続いて、電圧信号ＶＬは、アクティブ型電流調整回路ＡＣＲ２の比例積分制御器５２０の第２入力節点１２４（Ｖー）に送られる。続いて、比例積分制御器５２０は、対応する電圧信号Ｖ０を発生して出力し、線形レギュレータ５４０を駆動する。図５の実施形態では、線形レギュレータ５４０の作用は、電圧信号Ｖ０に対応した可変抵抗値を有する実効レジスタと同じである。よって、付属ランプＬｐｓの実効インピーダンスは、電圧信号Ｖ０に伴って動的に変わる。即ち、主要ランプＬｐｍのランプ電流は、主要ランプＬｐｍのランプ電流Ｉｍに対応した電圧信号Ｖ０に伴って動的に調整される。
【００６６】
図６は、本発明の第６の実施形態に基づいた発光構造６００の概略図を表している。発光構造６００は、ＤＣ電圧をＡＣ電圧に変換するＤＣ電源に電気的接続することができる単一ドライバ６０４、単一ドライバ６０４に電気的接続され、ランプ駆動電圧を提供する変圧器６０８、変圧器６０８に電気的接続されたランプモジュール６０２、変圧器６０８に電気的接続されたインピーダンス部品６０１及びインピーダンス部品６０１とランプモジュール６０２に電気的接続された電流調整モジュール６３０を含む。
【００６７】
変圧器６０８は、第１端子６１０ａ及び第２端子６１０ｂを有する１次コイル６１０と第１端子６１２ａ及び第２端子６１２ｂを有する２次コイル６１２とを含む。１次コイル６１０の第１端子６１０ａ及び第２端子６１０ｂは、単一ドライバ６０４に電気的接続され、上述のＡＣ電圧を受け、２次コイル６１２の第２端子６１２ｂは、接地に電気的接続される。また、１次コイル６１０及び２次コイル６１２は、互いに電磁的接続され、単一ドライバ６０４からのＡＣ電圧が１次コイル６１０の第１端子６１０ａ及び第２端子６１０ｂに供給された時、２次コイル６１２の第１端子６１２ａと第２端子６１２ｂ間に出力電圧が発生されるように設置される。
【００６８】
ランプモジュール６０２は、Ｌ２〜ＬＮからなるＮ−１個のランプを有し、Ｎは整数である。ランプＬｉは、第１端子Ｔｉ１及び第２端子Ｔｉ２を有し、ｉ＝２〜Ｎである。Ｎ−１個のランプは、２次コイル６１２に並列に電気的接続され、全てのランプＬｉの第１端子Ｔｉ１が２次コイル６１２の第１端子６１２ａに電気的接続され、２次コイル６１２からの上述の出力電圧を受け、ランプＬｉの対応する第２端子Ｔｉ２に対応するランプ電流ＩＬｉが発生するように設置される。
【００６９】
インピーダンス部品６０１は、２次コイル６１２に電気的接続され、かつＮ−１個のランプに並列接続され、電流ＩＬｉを流す。インピーダンス部品６０１は、実効インピーダンスＺＬｆを有する。実効インピーダンスＺＬｆは、固定値であることができ、調整されることができる。インピーダンス部品６０１は、レジスタ、コンデンサ、インダクタ又はその組み合わせであることができる。
【００７０】
電流調整モジュール６３０は、ランプ｛Ｌｉ｝の第２端子｛Ｔｉ２｝によってＮ−１個のランプに電気的接続される。ｉ＝２〜Ｎであり、インピーダンス部品６０１に接続され、電流｛ＩＬｉ｝を動的に調整する。図６の実施形態では、電流調整モジュール６３０は、Ｎ−１個のアクティブ型電流調整回路｛ＡＣＲｉ｝を含み、ｉ＝１〜Ｎである。各アクティブ型電流調整回路｛ＡＣＲｉ｝は、対応するランプＬｉの第２端子Ｔｉ２に電気的接続され、アクティブ型電流調整回路ＡＣＲｉが受けた電圧基準信号Ｖｒｅｆに基づいて対応するランプＬｉのランプ電流ＩＬｉを動的に調整する。この実施形態では、電圧基準信号Ｖｒｅｆは、インピーダンス部品６０１の電流ＩＬｉに対応する。図６に示すように、インピーダンス部品６０１の電流ＩＬｉは、整流器６３１とＲＣフィルター６３２に送られ、第１電圧基準信号Ｖｒｅｆに変換される。電圧基準信号Ｖｒｅｆは続いて、各アクティブ型電流調整回路ＡＣＲｉの第１入力節点Ａに供給される。アクティブ型電流調整回路ＡＣＲｉは、基準信号Ｖｒｅｆに基づいて対応する制御信号を発生し、それに伴ってランプ｛Ｌｉ｝のランプ電流ＩＬｉを調整する。ｉ＝２〜Ｎである。
【００７１】
図４及び図６に示すように、１つの実施形態では、電圧基準信号Ｖｒｅｆは、ランプとインピーダンス部品を除いた装置によって直接発生されることもできる。
【００７２】
図３、図４及び図６に示す発光構造の実施形態は、１つの単一ドライバと１つの単一変圧器より構成されるが、２つ又はそれ以上のドライバと変圧器より構成されることもできる。
【００７３】
以上、本発明の好適な実施形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００７４】
本発明により、光の輝度と均一度を大幅に改善することができるアクティブ型電流調整回路及び発光構造が得られる。従って、本発明は、液晶ディスプレイパネルパネルに好適に使用できる。
【図面の簡単な説明】
【００７５】
【図１】本発明の第１の実施形態に基づいたアクティブ型電流調整回路の概略図である。
【図２】本発明の第２の実施形態に基づいた線形レギュレータの概略図である。
【図３】本発明の第３の実施形態に基づいた発光構造の概略図である。
【図４】本発明の第４の実施形態に基づいた発光構造の概略図である。
【図５】本発明の第５の実施形態に基づいた発光構造の概略図である。
【図６】本発明の第６の実施形態に基づいた発光構造の概略図である。
【図７】従来の発光構造の概略図である。
【図８】従来の他の発光構造の概略図である。
【図９】図８の従来の発光構造に基づく第１のセルの概略図である。
【図１０】図８の従来の発光構造に基づく第２のセルの概略図である。
【図１１】図８の従来の発光構造に基づく第３のセルの概略図である。
【図１２】従来の発光構造の概略図である。
【符号の説明】
【００７６】
１００  アクティブ型電流調整回路
１０２、Ａｉ  第１入力節点
１０４、Ｂｉ  第２入力節点
１０６、Ｄｉ  出力節点
１０８、Ｃｉ  接地節点
１１０  調光器
１１２、１８２  入力端子
１１４、１３６、１８４  出力端子
１１５、１３７、１３９、１５７、１８５、１９２、２５５  レジスタ
１２０、５２０  比例積分制御器
１２２、１４２  第１入力節点（Ｖ＋）
１２４、１４４  第２入力節点（Ｖ−）
１２６  出力節点
１２８  増幅器
１３２、１７２  第１入力端子
１３４、１７４  第２入力端子
１３８、１８３  コンデンサ
１４０、２４０、５４０、５８０  線形レギュレータ
１４６  第１出力節点
１４８  第２出力節点
Ｖｒｅｆ、ＶＬ、Ｖｄ、Ｖｏ（ｔ）  電圧信号
Ｃ１、Ｃ２  容量値
Ｒ１−Ｒ６  抵抗値
τ  周期
１５０、２５０  第１トランジスタ（Ｑ１）
１５２、１６２、２５２  ベース
１５４、１６４、２５４  エミッタ
１５６、１６６、２５６  コレクタ
１６０  第２トランジスタ（Ｑ２）
１７０、４３１、５３１、５７０、６３１  整流器
１７１  第１ダイオードＤ１
１７３、１７９  正端子
１７５、１８１  負端子
１７６  第１出力端子
１７７  第２ダイオードＤ２
１８０、４３２、５３２、６３２  ＲＣフィルター
２５７  インピーダンス
３００、６００  発光構造
３０２、６０２  ランプモジュール
３０４、６０４  単一ドライバ
３０６  コントローラチップ
３０８、６０８  変圧器
３１０、３１０ａ、３１０ｂ、６１０、６１０ａ、６１０ｂ  １次コイル及びその第１端子と第２端子
３１２、３１２ａ、３１２ｂ、６１２、６１２ａ、６１２ｂ  ２次コイル及びその第１端子と第２端子
Ｌｉ  ランプ
Ｎ  整数
Ｔｉ１、Ｔｉ２  ランプＬｉの第１端子、第２端子
ＩＬｉ、｛ＩＬｉ｝  ランプ電流
ＣＬｉ、｛ＣＬｉ｝  コンデンサ
３３０、４３０、６３０  電流調整モジュール
３４０、４４０  デジタルコントローラ
Ｖｃｏｎｔｒｏｌ  電圧
ＡＣＲｉ、｛ＡＣＲｉ｝  アクティブ型電流調整回路
Ａｉ、Ｂｉ、Ｃｉ、Ｄｉ、節点
５００  発光構造
Ｌｐｍ、Ｌｐｓ  ランプ
６０１  インピーダンス部品
ＺＬｆ  実効インピーダンス
【図１】
0004686434.tif 000010
【図２】
0004686434.tif 000011
【図３】
0004686434.tif 000012
【図４】
0004686434.tif 000013
【図５】
0004686434.tif 000014
【図６】
0004686434.tif 000015
【図７】
0004686434.tif 000016
【図８】
0004686434.tif 000017
【図９】
0004686434.tif 000018
【図１０】
0004686434.tif 000019
【図１１】
0004686434.tif 000020
【図１２】
0004686434.tif 000021